(57)【要約】【課題】  余長部分に機能部品を有する光ファイバ心線を捻ることなく容易に収納することのできる光ファイバ余長収納ケースおよび光ファイバ余長収納装置を提供する。【解決手段】  光ファイバ余長収納ケース１０Ａは、光ファイバ心線２０に取付けられている接続部２１を収納固定する機能部品収納部３０と、機能部品収納部３０に隣接し接続部品２１に接続されている余長部２２を折返し収納する光ファイバ心線収納部４０とを備える。【選択図】  図１
2005070513.tif 000002
【特許請求の範囲】
【請求項１】
光ファイバ心線に取付けられている機能部品を収納固定する機能部品収納部と、前記機能部品収納部に隣接し前記接続部品に接続されている余長部を折返し収納する光ファイバ心線収納部とを備えたことを特徴とする光ファイバ余長収納ケース。
【請求項２】
前記心線収納部の入り口近傍に、前記光ファイバ心線を導入する為のガイド用湾曲部を有することを特徴とする請求項１に記載した光ファイバ余長収納ケース。
【請求項３】
前記光ファイバ心線収納部が、前記機能部品に接続される上流側の余長部と下流側の余長部とを分離して、別個に収納するための仕切部を有することを特徴とする請求項１又は請求項２に記載の光ファイバ余長収納ケース。
【請求項４】
前記光ファイバ心線収納部が、前記仕切部により分離された上流側の余長部を収納する第１収納部と、下流側の余長部を収納する第２収納部とを有し、
これら第１収納部と第２収納部とが、薄肉ヒンジにより開閉可能に連結されていることを特徴とする請求項１乃至請求項３のいずれかに記載の光ファイバ余長収納ケース。
【請求項５】
前記光ファイバ心線収納部が、前記仕切部により分離された上流側の余長部を収納する第１収納部と、下流側の余長部を収納する第２収納部とを有し、
これら第１収納部と第２収納部とが、それぞれ収納ケース本体に対して回転軸を中心に旋回可能に取付けられていることを特徴とする請求項１乃至請求項３のいずれかに記載の光ファイバ余長収納ケース。
【請求項６】
請求項１乃至請求項５に記載した光ファイバ余長収納ケースを複数個取り出し可能に収納することを特徴とする光ファイバ余長収納装置。
【発明の詳細な説明】
【技術分野】
【０００１】
本発明は光ファイバ余長収納ケースおよび光ファイバ余長収納装置に係り、例えば連結部により連結された光ファイバ心線の余長部を収納することができる光ファイバ余長収納ケースおよび光ファイバ余長収納装置に関する。
【背景技術】
【０００２】
従来より、連結部を有する光ファイバ心線の余長を収納する光ファイバ余長収納ケースとしては、図８に示すようなものが知られている（例えば、特許文献１参照）。
図９に示すように、この光ファイバ余長収納ケース１００は、底板１０１と、底板１０１の長手方向両サイドに対向して設けられている側板１０２と、側板１０２の両端に設けられた円弧状の端板１０３により箱状に形成されている。
【０００３】
そして、この箱状に形成されている余長収納ケース１００の上方の側板１０２の両端と円弧状の端板１０３の交差部分には、光ファイバ心線１２０の心線導入部１０４が設けられている。心線導入部１０４の余長収納ケース１００の内側には、円弧状の端板１０３から余長収納ケース１００の内部側に延長した分離ガイド１０５が設けられている。分離ガイド１０５の下側は、余長収納部１０６となっており、余長収納部１０６内の中間部には、余長心線１２１が収納される際に所定の曲率半径以下、すなわち光ファイバ心線１２０の許容曲率半径（例えば、Ｒ＝３０ｍｍ）以下にならないようにリング状の余長ガイド１０７が設けられている。また、余長収納部１０６には、余長心線１２１の飛び出しを防止するための防止フィン１０８が複数個設けられている。
【０００４】
前記余長収納部１０６の中央には、光ファイバ心線接続部固定部１０９が設けられており、余長収納ケース１００の底板１０１に櫛状のヒレ１１０が平行に立設されている。このヒレ１１０とヒレ１１０との間に、接続部１２２の両側に接続されている光ファイバ余長心線１２１を嵌め込むことにより、光ファイバ心線１２０の接続部１２２が１個ずつ固定できるようになっている。
【０００５】
ところで、上述したような光ファイバ余長収納ケース１００に光ファイバ心線１２０の余長心線１２１を収納する際には、収納される余長心線１２１が捩れないようにするために、特殊な収納の仕方が行われている。
図９（Ａ）から（Ｄ）には、例えば余長心線１２１を３ターンさせて収納する手順が示されている。
【０００６】
まず、図９（Ａ）に示すように、接続部１２２を１回転させて余長心線１２１をクロスした状態で捩れがないことを確認する。
次に、図９（Ｂ）に示すように、各余長心線１２１をクロスさせて各々輪を３個作る。
【０００７】
次いで、図９（Ｃ）に示すように、１番下の輪を内側に返して上の輪に重ねる。
そして、図９（Ｄ）に示すように、重ねた輪をさらに返して、一番上の輪に重ねて、余長収納部１０６に収納する。
【０００８】
従って、余長心線１２１が捩れないように光ファイバ余長収納ケース１００に収納するには、上述したような特殊な巻き方で余長心線１２１を巻く必要があり、面倒であるとともに技術を要するという問題がある。
【０００９】
そこで、図１０に示すように、余長心線を捻ることなく容易に収納することができる光ファイバ余長収納ケース１３０も提案されている（例えば、特許文献２参照）。
図１０に示すように、この光ファイバ余長収納ケース１３０では、光ファイバコード１３１の中間部分が収容されている箱体１３２に、操作レバー１３３と可動ガイド１３４とが、光ファイバ余長収納ケース１３０の長手方向に沿って往復移動可能に設けられている。
【００１０】
従って、光ファイバコード１３１の余長部分１３１ａを可動ガイド１３４に引っ掛けて、操作レバー１３３を移動させることにより、光ファイバコード１３１を捻れないように光ファイバ余長収納ケース１３０内部に収容することができる。
【特許文献１】特許第３３３４４０９号公報（図１）
【特許文献２】特開２００２−２５８０６５号公報（図１）
【発明の開示】
【発明が解決しようとする課題】
【００１１】
ところで、図１０において示した光ファイバ余長収納ケース１３０では、光ファイバコード１３１を捻ることなく、容易に収容することができるものの、余長部分１３１ａの途中に接続部や分岐部等がある場合には、うまく収容することができないという不都合があった。
【００１２】
従って、本発明の目的は上記課題を解消することに係り、余長部分に機能部品を有する光ファイバ心線を捻ることなく容易に収納することのできる光ファイバ余長収納ケースおよび光ファイバ余長収納装置を提供することである。
【課題を解決するための手段】
【００１３】
本発明の光ファイバ余長収納ケースは、光ファイバ心線に取付けられている機能部品を収納固定する機能部品収納部と、前記機能部品収納部に隣接し前記接続部品に接続されている余長部を折返し収納する光ファイバ心線収納部とを備えたことを特徴とする。
【００１４】
望ましくは、前記心線収納部の入り口近傍に、前記光ファイバ心線を導入する為のガイド用湾曲部を有することを特徴とする。
【００１５】
望ましくは、前記光ファイバ心線収納部が、前記機能部品に接続される上流側の余長部と下流側の余長部とを分離して、別個に収納するための仕切部を有することを特徴とする。
【００１６】
望ましくは、前記光ファイバ心線収納部が、前記仕切部により分離された上流側の余長部を収納する第１収納部と、下流側の余長部を収納する第２収納部とを有し、これら第１収納部と第２収納部とが、薄肉ヒンジにより開閉可能に連結されていることを特徴とする。
【００１７】
望ましくは、前記光ファイバ心線収納部が、前記仕切部により分離された上流側の余長部を収納する第１収納部と、下流側の余長部を収納する第２収納部とを有し、
これら第１収納部と第２収納部とが、それぞれ収納ケース本体に対して回転軸を中心に旋回可能に取付けられていることを特徴とする。
【００１８】
本発明の光ファイバ余長収納装置は、前記光ファイバ余長収納ケースを複数個取り出し可能に収納することを特徴とする。
【発明の効果】
【００１９】
本発明の光ファイバ余長収納ケースによれば、機能部品が取付けられている光ファイバ心線を収納する際に、機能部品を機能部品収納部に収納して固定し、機能部品に接続されている余長部を折り返して光ファイバ心線収納部に収納するので、機能部品を有する光ファイバ心線の余長部を捻ることなく、且つ容易に収納することができる。
【発明を実施するための最良の形態】
【００２０】
以下、本発明に係る実施形態を添付図面に基づいて詳細に説明する。
図１は本発明の第１実施形態に係る光ファイバ余長収納ケースを示す部分破断斜視図である。
【００２１】
図１に示すように、本発明の第１実施形態に係る光ファイバ余長収納ケース１０Ａは、光ファイバ心線２０に取付けられている機能部品としての例えば接続部２１を収納固定する機能部品収納部３０と、この機能部品収納部３０に隣接（ここでは、下側に隣接）し、光ファイバ心線２０の余長部２２を折返し収納する光ファイバ心線収納部４０とを備えている。
【００２２】
前記光ファイバ余長収納ケース１０Ａは、図１に示すように、樹脂製の正面視矩形の箱状をしており、長手方向両端面（図１において左右端面）の上部には、光ファイバ心線２０が入線あるいは出線する開口１１ａ，１１ｂが設けられており、短手方向一端面（図１において上端面）には、蓋１２が開閉可能に設けられている。
【００２３】
前記光ファイバ余長収納ケース１０Ａの内部における上部には、機能部品収納部３０が設けられている。
従って、蓋１２を開けた状態では、接続部２１を機能部品収納部３０に容易に収納固定することができる。
なお、機能部品収納部３０において接続部２１を収納固定するために、接続部２１を挟持固定できる一対の弾性係止片３１ａ，３１ｂが、固定部３１に設けられている。
【００２４】
前記光ファイバ余長収納ケース１０Ａの内部における機能部品収納部３０の下方には、光ファイバ心線２０の余長部２２を収納するための光ファイバ心線収納部４０が隣接して設けられている。
そして、前記接続部２１に接続される上流側の余長部２２ａと下流側の余長部２２ｂとは、それぞれ光ファイバ余長収納ケース１０Ａの内方端部で折り返された状態で当該光ファイバ心線収納部４０内に収納されている。
このため、従来のように特殊な方法により余長部２２を輪状にする必要がなく、容易に余長部２２を収納することができる。
【００２５】
そこで、光ファイバ余長収納ケース１０Ａに光ファイバ心線２０の余長部２２を収納する際には、先ず、蓋１２を開けて接続部２１を一対の弾性係止片３１ａ，３１ｂ間に圧入して機能部品収納部３０に固定し、それぞれ上流側の余長部２２ａと下流側の余長部２２ｂを各開口１１ａ，１１ｂに通して蓋１２を閉じる。
そして、光ファイバ心線２０の各余長部２２ａ，２２ｂを前後の開口１１ａ，１１ｂから内部に押込むと、光ファイバ心線収納部４０で各余長部２２ａ，２２ｂが折り返されるようにして収容される。
【００２６】
或いは、蓋１２を開けて接続部２１を機能部品収納部３０に固定した後、蓋１２を開けた状態で各余長部２２ａ，２２ｂを光ファイバ心線収納部４０に折り返すようにして収納する。そして、最後に蓋１２を閉じるようにしても、余長部２２を収納することができる。
従って、上述した光ファイバ余長収納ケース１０Ａによれば、接続部２１を有する光ファイバ心線２０の余長部２２を、捻ることなく容易に収容することができる。
【００２７】
図２（ａ）は本発明の第２実施形態に係る光ファイバ余長収納ケースを示す部分破断斜視図であり、図２（ｂ）は図２（ａ）中のＢ−Ｂ断面矢視図である。
なお、前述した第１実施形態と共通する部位には同じ符号を付して、重複する説明を省略することとする。
【００２８】
本第２実施形態の光ファイバ余長収納ケース１０Ｂでは、光ファイバ心線収納部４０の入り口４１近傍に、光ファイバ心線２０を導入する為のガイド用湾曲部４２が設けられている。これにより、収納する光ファイバ心線２０の上流側の余長部２２ａを、許容曲げ半径（例えば、Ｒ＝７．５ｍｍ）以下の急激な曲げを生じないようにして光ファイバ心線収納部４０に導くことができる。
前記ガイド用湾曲部４２の形状としては、例えば図２（ａ）に示したように、凸状の円弧から凹状の円弧にスムーズに連続する曲線や、同様の形状をした高次の曲線でも良い。あるいは、単に直線状のスロープとすることも可能である。
【００２９】
また、図２に示した光ファイバ心線収納部４０には、接続部２１に接続される上流側（図２（ａ）における左側）の余長部２２ａを収納する光ファイバ心線収納部４０ａと、下流側（図２（ａ）における右側）の余長部２２ｂを収納する光ファイバ心線収納部４０ｂとを分離して、別個収納するための仕切部である壁４３が設けられている。
【００３０】
従って、例えば上流側の余長部２２ａは、図２（ａ）における壁４３の手前側の光ファイバ心線収納部４０ａに折返し収納され、下流側の余長部２２ｂは、図２（ａ）における壁４３の奥側の光ファイバ心線収納部４０ｂに折返し収納されることになる。
なお、図２においては、手前側の光ファイバ心線収納部４０ａに設けられているガイド用湾曲部４２のみ図示されているが、奥側の光ファイバ心線収納部４０ｂにも同様にガイド用湾曲部４２が設けられている。
【００３１】
以上説明したように、光ファイバ余長収納ケース１０Ｂによれば、ガイド用湾曲部４２の作用により、余長部２２をスムーズに光ファイバ心線収納部４０内に導くことができる。
また、光ファイバ心線収納部４０を前記壁４３により分離したので、上流側の余長部２２ａと下流側の余長部２２ｂとが絡み合うことがなく、整然と余長部２２を折返し収納することができると共に、一方の余長部２２ａ（又は、２２ｂ）のみを容易に取り出すこともできる。
【００３２】
図３は本発明の第３実施形態に係る光ファイバ余長収納ケースの斜視図である。なお、前述した第１，第２実施形態と共通する部位には同じ符号を付して、重複する説明を省略することとする。
本第３実施形態に係る光ファイバ余長収納ケース１０Ｃは、図３に示すように、光ファイバ心線収納部４０が、仕切部としての係止部材４４により分離された上流側の余長部２２ａを収納する第１収納部４５Ａと、下流側の余長部２２ｂを収納する第２収納部４５Ｂとを有している。
【００３３】
これら第１収納部４５Ａと第２収納部４５Ｂとは、薄肉ヒンジ４６により開閉可能に連結されている。
また、前記仕切部材４４の中央部には、余長部２２ａ，２２ｂを係止部材４４の内側に挿入するためのスリット４４ａが各々設けられている。
尚、これら第１収納部４５Ａ及び第２収納部４５Ｂには、互いに閉じた状態で保持するための係止手段（図示せず）が設けられている。
【００３４】
従って、余長部２２を本第３実施形態の光ファイバ余長収納ケース１０Ｃに収納する際には、先ず、図３に示すように第１収納部４５Ａ及び第２収納部４５Ｂを開けた状態とする。
次いで、接続部２１を機能部品収納部３０に取付け、上流側の余長部２２ａ及び下流側の余長部２２ｂを各々第１収納部４０Ａ及び第２収納部４０Ｂに折返し収納する。この際、各余長部２２ａ，２２ｂは、スリット４４ａから係止部材４４の内側に挿入される。
そして、これら第１収納部４５Ａ及び第２収納部４５Ｂを薄肉ヒンジ４６で回転させて閉じ、図３に想像線で図示したように一体化する。
【００３５】
以上説明したように、本第３実施形態の光ファイバ余長収納ケース１０Ｃによれば、接続部２１に接続されている上流側の余長部２２ａと下流側の余長部２２ｂをそれぞれ第１収納部４５Ａ及び第２収納部４５Ｂに別個に折返し収納する際には、第１収納部４５Ａ及び第２収納部４５Ｂを開けた状態として係止部材４４に保持させることができるので、容易に余長部２２を収納することができ、作業性が向上する。
【００３６】
また、各余長部２２ａ，２２ｂは、係止部材４４により分離されると共に別個に区画形成された第１収納部４５Ａおよび第２収納部４５Ｂ内に折返し収納されるので、これら第１収納部４５Ａ及び第２収納部４５Ｂを閉じた際にも、両余長部２２ａ，２２ｂは絡むことなく折返し収納することができる。
【００３７】
図４は本発明の第４実施形態に係る光ファイバ余長収納ケースの部分破断斜視図である。なお、前述した第１〜第３実施形態と共通する部位には同じ符号を付して、重複する説明を省略することとする。
【００３８】
本第４実施形態に係る光ファイバ余長収納ケース１０Ｄは、図４に示すように、光ファイバ心線収納部４０が、仕切部としての係止部材４４により分離された上流側の余長部２２ａを収納する第１収納部４５Ａと、下流側の余長部２２ｂを収納する第２収納部４５Ｂとを有している。
これら第１収納部４５Ａと第２収納部４５Ｂとは、それぞれ収納ケース本体１３に対して回転軸４７を中心に旋回可能に取付られており、矩形断面箱状の収納ケース本体１３の下面の開口１３ａから内部に格納されるようになっている。
【００３９】
従って、各余長部２２ａ，２２ｂを前記光ファイバ余長収納ケース１０Ｄに収納する際には、先ず、第１収納部４５Ａ及び第２収納部４５Ｂをそれぞれ回転軸４７を中心に旋回させて、収納ケース本体１３の下面の開口１３ａから外に引き出す。
次に、光ファイバ心線２０の接続部２１を機能部品収納部３０に取付け、各余長部２２ａ，２２ｂを収納ケース本体１３の長手方向端面に設けた開口１１ａ，１１ｂに通す。
【００４０】
そして、上流側の余長部２２ａ及び下流側の余長部２２ｂを前述した第３実施形態の場合と同様にして、各々第１収納部４５Ａ及び第２収納部４５Ｂに折返し収納する。
そして、第１収納部４５Ａ及び第２収納部４５Ｂをそれぞれ回転軸４７を中心に旋回させて、下面の開口１３ａから収納ケース本体１３の内部に収納する。収納ケース本体１３に収納された第１収納部４５Ａ及び第２収納部４５Ｂは、図５に示すように、互いに重なるように収納されるので、コンパクトとなる。
【００４１】
以上説明したように、本第４実施形態の光ファイバ余長収納ケース１０Ｄによれば、接続部２１に接続されている上流側の余長部２２ａと下流側の余長部２２ｂを、第１収納部４５Ａ及び第２収納部４５Ｂに別個に折返し収納する際には、第１収納部４５Ａ及び第２収納部４５Ｂを収納ケース本体１３から引き出して係止部材４４に保持させることができるので、容易に余長部２２を折返し収納することができ、作業性が向上する。
【００４２】
また、各余長部２２ａ，２２ｂは、係止部材４４により分離されると共に別個に区画形成された第１収納部４５Ａおよび第２収納部４５Ｂ内に折返し収納されるので、これら第１収納部４５Ａ及び第２収納部４５Ｂを閉じても両余長部２２ａ，２２ｂは絡むことなく収納することができる。
【００４３】
図６は本発明の光ファイバ余長収納装置に係る実施形態を示す斜視図である。  図６に示すように、本実施形態の光ファイバ余長収納装置５０は、上面が開口する矩形断面箱状の収納装置本体５１を有しており、収納装置本体５１には開口を覆う上蓋５２が開閉自在に設けられている。
前記収納装置本体５１の前壁５３ａ及び後壁５３ｂには、上蓋５２との間に光ファイバ心線２０を出し入れする隙間５４が設けられている。
【００４４】
前記収納装置本体５１の内部には、複数個の光ファイバ余長収納ケースが取り出し可能に収納されている。
各光ファイバ余長収納ケースの構成は、例えば上述した光ファイバ余長収納ケース１０Ａから蓋１２を取り除いた構成と略同様であり、各余長部２２ａ，２２ｂが光ファイバ心線収納部４０に折り返すようにして収納されている。
【００４５】
以上説明したように、本実施形態の光ファイバ余長収納装置５０によれば、接続部２１に接続されている光ファイバ心線２０の余長部２２を収納した光ファイバ余長収納ケースを複数個収納できるので、複数の余長部２２を絡むことなく整然と収納することができる。また、所望の光ファイバ余長収納ケースを取り出すことも容易であり、所望の光ファイバ心線２０を取り出して、接続や分岐等の作業を簡単に行うことができる。
【００４６】
図７は光ファイバ余長収納装置に係る他の実施形態を示す斜視図である。
図７に示す光ファイバ余長収納装置６０は、複数の引出し６１内に複数個の光ファイバ余長収納ケース１０Ａを並設状態で収納可能とするものであり、ある程度纏まった数の光ファイバ心線２０を収納することができる。
そこで、例えば光接続箱やクロージャ等に適用される。
【００４７】
なお、本発明の光ファイバ余長収納ケースおよび光ファイバ余長収納装置は、上述した各実施形態に限定されるものでなく、本発明の趣旨に基づいて種々の形態を採りうることは言うまでもない。
例えば、前述した各実施形態においては、機能部品として接続部２１を例示したが、その他の機能部品である例えば光スプリッタ等にも適用可能である。
また、光ファイバ余長収納ケースとしては、概ね正面視矩形状のものを例示したが、これに限るものではない。
【図面の簡単な説明】
【００４８】
【図１】本発明の第１実施形態に係る光ファイバ余長収納ケースを示す部分破断斜視図である。
【図２】（ａ）は本発明の第２実施形態に係る光ファイバ余長収納ケースを示す部分破断斜視図、（ｂ）は（ａ）中のＢ−Ｂ断面矢視図である。
【図３】本発明の第３実施形態に係る光ファイバ余長収納ケースの斜視図である。
【図４】本発明の第４実施形態に係る光ファイバ余長収納ケースの部分破断斜視図である。
【図５】図４中、Ｖ方向から見た矢視図である。
【図６】本発明の光ファイバ余長収納装置に係る実施形態を示す斜視図である。
【図７】光ファイバ余長収納装置に係る他の実施形態を示す斜視図である。
【図８】従来の光ファイバ余長収納ケースの一例を示す断面図である。
【図９】従来の余長心線の収納方法を説明する説明図である。
【図１０】従来の光ファイバ余長収納ケースの他の例を示す斜視図である。
【符号の説明】
【００４９】
１０Ａ  光ファイバ余長収納ケース
１３  収納ケース本体
２０  光ファイバ心線
２１  接続部（機能部品）
２２  余長部
２２ａ  上流側の余長部
２２ｂ  下流側の余長部
３０  機能部品収納部
４０  光ファイバ心線収納部
【図１】
2005070513.tif 000003
【図２】
2005070513.tif 000004
【図３】
2005070513.tif 000005
【図４】
2005070513.tif 000006
【図５】
2005070513.tif 000007
【図６】
2005070513.tif 000008
【図７】
2005070513.tif 000009
【図８】
2005070513.tif 000010
【図９】
2005070513.tif 000011
【図１０】
2005070513.tif 000012